(57)【要約】  容積マーキングと、容積マーキングに配置された導電性要素と、共通の導電性要素とを有する液容器が提供される。例えば、液容器は、容積を形成する壁を有する。導電性要素および共通の導電性要素は、容積内に配置される部分と、容積外の部分とを有する。容器は、RFIDタグをさらに有し、導電性要素および共通の導電性要素が、各導電性ワイヤを介してそれに接続される。液容器を有する液検出システムも提供される。本システムは、１つまたは複数の容器と、事前設定された間隔でRFIDタグに問い合わせを行うRFリーダを有する患者サイトモニタとを備える。信号に応じて、タグは、所定の電流を、導電性要素および共通の導電性要素に供給し、電圧を検出し、電圧に基づいて警報を生成する。
2020515845.tif 000002
【特許請求の範囲】
【請求項１】
液容器であって、
液を保持するための容積を形成する壁であって、容積レベルを示す容積マーキングを有する壁と、
前記容積レベルに配置される導電性要素であって、容積内に配置される部分、および容積外の部分を有する導電性要素と、
RFIDタグと、
前記容積内に配置される部分、および前記容積外の部分を有する共通の導電性要素であって、前記共通の導電性要素が、導電性ワイヤを介して前記RFIDタグに接続され、前記導電性要素が、別の導電性ワイヤを介して前記RFIDタグに接続される、共通の導電性要素と
を備えることを特徴とする、液容器。
【請求項２】
前記導電性要素は、前記壁に取り付けられ、前記容積内に配置される前記部分は、前記壁の内側面に取り付けられ、前記導電性要素は、前記壁を通って延び、前記容積外の前記部分は、前記壁の外部にあり、
前記別の導電性ワイヤは、前記容積外の前記部分と前記RFIDタグとに電気的に結合され、前記壁の外側面に沿って延び、
前記RFIDタグは、前記壁の外側面上に配置され、
前記共通の導電性要素は、前記壁に取り付けられ、前記容積内に配置される前記共通の導電性要素の前記部分は、前記壁の内側面に取り付けられ、前記共通の導電性要素は、前記壁を通って延び、前記容積外の前記部分は、前記壁に対して外部にあることを特徴とする、請求項１に記載の液容器。
【請求項３】
前記壁は、それぞれが、異なる特定の容積をそれぞれ示す複数の容積マーキングを有し、前記液容器は、各異なる特定の容積のそれぞれに配置された複数の導電性要素を有し、前記壁の前記内側面に取り付けられ、前記容積に露出される部分を有する前記複数の導電性要素のそれぞれが、前記壁を通って延び、前記壁の外部にある部分を有し、前記複数の導電性要素のそれぞれが、各導電性ワイヤを介して前記RFIDタグに接続され、前記各導電性ワイヤが、前記壁に対して外部にある前記導電性要素の前記部分に結合されていることを特徴とする、請求項２に記載の液容器。
【請求項４】
前記複数の導電性要素は、垂直に整列していることを特徴とする、請求項３に記載の液容器。
【請求項５】
前記各導電性ワイヤを覆うように構成されたカバーをさらに備えることを特徴とする、請求項３に記載の液容器。
【請求項６】
液供給ラインを受け入れるように構成された入口を有するキャップと、前記容積からの液を送達するための制御可能な出口とをさらに備えることを特徴とする、請求項３に記載の液容器。
【請求項７】
液保持デバイスはビュレットであることを特徴とする、請求項６に記載の液容器。
【請求項８】
前記液供給ラインは頭蓋内カテーテルであることを特徴とする、請求項６に記載の液容器。
【請求項９】
前記壁は、第１の層および第２の層から形成され、前記第１の層および前記第２の層のそれぞれは、第１の部分および第２の部分を有し、前記第１の層および前記第２の層のそれぞれの前記第１の部分は、前記容積を形成し、
前記第１の層は、継ぎ目において前記第２の層に取り付けられて前記容積を形成し、
前記導電性要素および前記共通の導電性要素は、前記導電性要素および前記共通の導電性要素の一部が、前記容積内にあり、前記導電性要素および前記共通の導電性要素の一部が、前記第１の層の前記第２の部分と、前記第２の層の前記第２の部分との間に、かつ前記容積の外側に配置されるように前記継ぎ目に沿って配置され、
前記導電性ワイヤは、前記第１の層の前記第２の部分と、前記第２の層の前記第２の部分との間で、前記導電性要素の前記部分に結合され、別の導電性ワイヤは、前記第１の層の前記第２の部分と、前記第２の層の前記第２の部分との間に配置された前記共通の導電性要素の前記部分に結合され、
前記RFIDタグは、前記第１の層の前記第２の部分と、前記第２の層の前記第２の部分との間に配置され、
前記導電性ワイヤおよび前記別の導電性ワイヤは、前記共通の導電性要素および前記導電性要素の前記部分にそれぞれ接続され、前記RFIDタグ、前記導電性要素、および前記別の導電性要素は、前記第１の層の前記第２の部分と、前記第２の層の前記第２の部分との間に配置されていることを特徴とする、請求項１に記載の液容器。
【請求項１０】
前記壁は、それぞれが、異なる特定の容積をそれぞれ示す複数の容積マーキングを有し、前記液容器は、前記異なる特定の容積のそれぞれに配置された複数の導電性要素を有しており、前記複数の導電性要素のそれぞれは、前記継ぎ目に沿って配置され、したがって、一部は前記容積内にあり、一部は、前記第１の層の前記第２の部分と、前記第２の層の前記第２の部分との間に配置され、前記複数の導電性要素のそれぞれが、各導電性ワイヤを介して前記RFIDタグに接続され、前記各導電性ワイヤは、前記第１の層と前記第２の層との間の前記導電性要素の前記部分に結合されていることを特徴とする、請求項９に記載の液容器。
【請求項１１】
前記第１の層の前記第１の部分と、前記第２の層の前記第１の部分との間に配置される入口をさらに備え、前記入口は、それらの間で封止され、前記入口は、液を受け入れるように構成されていることを特徴とする、請求項１０に記載の液容器。
【請求項１２】
液検出システムであって、
液容器であって、
壁であって、前記壁の少なくともその一部が、液を保持するための容積を画定し、容積レベルを示す容積マーキングを有する壁、
前記壁に取り付けられるRFIDタグ、
前記容積レベルに配置される導電性要素であり、容積内に配置される部分、および容積外の部分を有する導電性要素、
前記容積内に配置される部分、および前記容積外の部分を有する共通の導電性要素であり、前記共通の導電性要素および前記導電性要素が、各導電性ワイヤを介して前記RFIDタグに接続される、共通の導電性要素
を備える液容器と、
RFリーダを有する患者サイトモニタであって、前記RFリーダは、信号を送信することにより、事前設定された間隔で前記RFIDタグに問い合わせを行うように構成され、前記RFIDタグが前記信号を受信したとき、前記RFIDタグは、所定の電流を、前記導電性要素および前記共通の導電性要素に供給し、電圧を検出し、前記RFIDタグは、前記信号に応じた前記電圧に基づいて警報を生成するように構成されている、患者サイトモニタと
を備えることを特徴とする、液検出システム。
【請求項１３】
ナースステーションをさらに備え、前記警報が、前記患者サイトモニタ内の前記RFリーダによって受信されたとき、前記患者サイトモニタは、第２の警報を前記ナースステーションに送信するように構成されていることを特徴とする、請求項１２に記載の液検出システム。
【請求項１４】
前記RFIDタグは、少なくとも前記事前設定された間隔に対して検出された電圧を記憶するように構成されたメモリを備え、前記RFIDタグは、現在の期間に対して検出された電圧が、記憶されている検出された電圧とは異なっているとき、警報を生成するように構成されていることを特徴とする、請求項１２に記載の液検出システム。
【請求項１５】
前記RFIDタグは、制御装置および比較器を備え、前記比較器は、液レベルを確認するために前記検出された電圧を比較し、前記RFIDタグは、前記検出された電圧が、所定の電圧とは異なるとき、前記警報を生成するように構成されていることを特徴とする、請求項１４に記載の液検出システム。
【請求項１６】
前記RFIDタグは、制御装置および比較器を備え、
前記比較器は、前記検出された電圧を所定の電圧と比較し、
前記RFIDタグは、前記検出された電圧が、前記所定の電圧とは異なるとき、前記警報を生成するように構成されていることを特徴とする、請求項１２に記載の液検出システム。
【請求項１７】
前記液容器の壁は、複数の容積マーキングを有し、それぞれが、異なる特定の容積をそれぞれ示しており、前記液容器は、前記異なる特定の容積のそれぞれに配置された複数の導電性要素を有し、前記複数の導電性要素のそれぞれは、前記容積内に配置された部分と、前記容積外の部分とを有し、前記複数の導電性要素のそれぞれが、各導電性ワイヤを介して前記RFIDタグに接続され、前記各導電性ワイヤは、前記容積外の前記導電性要素の前記部分に結合され、
前記RFIDタグが信号を受信したとき、前記RFIDタグは、所定の電流を、前記複数の導電性要素の各導電性要素、および前記共通の導電性要素に順次供給し、前記各導電性要素と前記共通の導電性要素との間の電圧を順次検出し、前記RFIDタグは、前記信号に応じて、前記各導電性要素のそれぞれと前記共通の導電性要素との間の前記検出された電圧に基づき、警報を生成するように構成されていることを特徴とする、請求項１２に記載の液検出システム。
【請求項１８】
前記RFIDタグは、制御装置および少なくとも１つの比較器を備え、
少なくとも１つの前記比較器は、液レベルを判定するために、前記各導電性要素のそれぞれと前記共通の導電性要素の間の前記検出された電圧を、各所定の電圧と比較し、前記RFIDタグは、前記判定された液レベルが第１の事前設定された液レベルを超えるとき、前記警報を生成するように構成されていることを特徴とする、請求項１７に記載の液検出システム。
【請求項１９】
RFIDタグは、前記判定された液レベルが、第２の事前設定された液レベルを超えたとき、別の警報を生成するように構成されることを特徴とする、請求項１８に記載の液検出システム。
【請求項２０】
前記RFIDタグは受動タグであることを特徴とする、請求項１２に記載の液検出システム。
【請求項２１】
前記導電性要素が、前記液容器に対する最大の充填レベルに配置されていることを特徴とする、請求項１２に記載の液検出システム。
【請求項２２】
前記患者サイトモニタは、無線アダプタをさらに備え、前記第２の警報は、前記無線アダプタを介して前記ナースステーションに送信されていることを特徴とする、請求項１３に記載の液検出システム。
【発明の詳細な説明】
【技術分野】
【０００１】
関連出願への相互参照
本出願は、２０１７年３月３１日に出願された米国特許出願第１５／４７６，２０２号の優先権を主張する。この出願は、参照により本明細書に組み込まれる。
【０００２】
本開示は液容器に関する。本開示はまた、液容器の液レベルを検出するためのシステムおよび方法に関する。
【背景技術】
【０００３】
液容器は、様々なタイプの液を保持することができる。例えば、医療分野では、いくつかの体液を液容器の中に抜き取ることができる。体液は、血液、尿、頭蓋内液とすることができるが、これらに限定されない。さらに、液容器は、食塩水および医薬品に使用することができる。
【０００４】
液容器は、ＩＶまたは排液バッグなどの可撓性のあるもの、またはビュレットなどの剛性のあるものとすることができる。液容器は、目盛りが付けられた点滴筒などの流れが調節されるものとすることができる。
【０００５】
医療分野では、液容器内の液レベルまたは液容積を追跡することが重要である。例えば、健康管理提供者は、液容器が完全に満たされているとき、および／または置き換える必要のあるときを知る必要がある。さらに医薬品または食塩水が使用される場合、液容器が空になったときを知ることも同様に重要である。
【発明の概要】
【課題を解決するための手段】
【０００６】
液を保持するための容積を形成する壁を備える液容器が開示される。壁は、容積レベルを示す容積マーキングを有する。液容器は、容積レベルに配置される導電性要素、RFIDタグ、および共通の導電性要素をさらに備える。導電性要素は、容積内に配置される部分と、容積外の部分とを有する。共通の導電性要素は、容積内に配置される部分と、容積外の部分とを有する。共通の導電性要素と導電性要素は共に、各導電性ワイヤを介して、RFIDタグに接続される。
【０００７】
液検出システムがさらに開示される。液検出システムは、液容器と、RFリーダを有する患者サイトモニタとを備える。液容器は、壁を有しており、壁の少なくとも一部は、液を保持するための容積を画定する。壁は、容積レベルを示す容積マーキングを有する。RFIDタグが、液容器の壁に取り付けられる。液容器は、容積レベルに配置された導電性要素と、共通の導電性要素とをさらに備える。導電性要素は、容積内に配置される部分と、容積外の部分とを有し、共通の導電性要素は、容積内に配置される部分と、容積外の部分とを有する。共通の導電性要素および導電性要素は、各導電性ワイヤを介してRFIDタグに接続される。
【０００８】
患者サイトモニタのRFリーダは、信号を送信することにより、事前設定された間隔で、RFIDタグに問い合わせを行うように構成される。RFIDタグが信号を受信したとき、RFIDタグは、導電性要素および共通の導電性要素に所定の電流を供給し、電圧を検出する。RFIDタグは、信号に応じた電圧に基づいて警報を生成するように構成される。
【図面の簡単な説明】
【０００９】
【図１】本開示の態様による液容器の平面図（図１Ａ）と、線Ａ-Ａに沿った断面図である（図１Ｂ）である。
【図２】本開示の態様による液容器の等角図である。
【図３】本開示の態様による別の液容器の平面図（図３Ａ）と、線Ｂ-Ｂに沿った断面図（図３Ｂ）である。
【図４】本開示の態様による液容器に対するRFIDタグの概略図である。
【図５】本開示の態様による液容器に対する別のRFIDタグの概略図である。
【図６】本開示の態様による液容器における液容積を検出するためのシステムを示す図である。
【発明を実施するための形態】
【００１０】
図１Ａは、本開示の態様による液容器を示す。図１Ａで示された液容器は可撓性がある。図１Ａで示された液容器はまた、本明細書で液収集バッグ１とも呼ばれることになる。液収集バッグ１は、ＩＶとして使用されるバッグとすることができる。さらに、液収集バッグ１は、必要に応じて、血液、尿、頭蓋内液、食塩水、または他の医薬品を保持することができる。
【００１１】
液収集バッグ１は、液を保持する液容積または空間を画定するポケットまたは主本体９０を含む。ポケットまたは主本体９０は、壁または層４０、５０から形成される。説明のためであるが、壁４０は、「前方壁」と呼ばれ、また壁５０は、「後方壁」と呼ばれるが、「前方」および「後方」と示すことは、使用方向を規定するものではない。
【００１２】
壁４０、５０は、熱可塑性材料、ポリ塩化ビニル（PVC）、または他のエチレン酢酸ビニル（EVA）などのフィルムなど、プラスチック材料の１つまたは複数のものから製作することができる。壁４０、５０は共に封止されて、ポケットまたは主本体９０を形成する。壁４０、５０は、熱封止法を用いて共に封止されて、継ぎ目６０を形成することができる。継ぎ目６０は、ポケットまたは主本体９０を囲む。
【００１３】
図示のように、前方壁４０および後方壁５０のそれぞれは、２つの部分を有する。液が、液収集バッグ内にあるとき、液に露出され得る第１の部分４５Ａと、液が、液収集バッグ１内にあるときであっても、液に露出されることのない第２の部分４５Ｂとである。継ぎ目６０は、第１の部分４５Ａと第２の部分４５Ｂとの間の境界として働く。
【００１４】
液収集バッグ１の壁の一方は、容積マーキング８５を含む。図示のように、容積マーキング８５は、５０ｍｌから開始し、７００ｍｌで終了し、また５０ｍｌ刻みの増分で一覧表示されている。しかし、図に示されたマーキングは、説明用の例であり、マーキングはそれに限定されない。液収集バッグ１が保持できる液の特定の量、およびマーキングは、必要に応じて変わり得る。図２は、後方壁または層５０上の容積マーキング８５を示しているが、マーキングは、それに限定されず、前方壁または層４０上に存在することができる。さらに図示されるように、容積マーキング８５は、継ぎ目６０に隣接して一直線に並んでいるが、マーキングは、これらの位置に限定されない。
【００１５】
導電性要素１０は、継ぎ目６０に沿って垂直に整列している。導電性要素は、導電性塗料もしくはインク、または導電性ワイヤとすることができる。導電性要素１０は、所定の容積レベルに配置される。図１Ａで示されるように、導電性要素１０は、容積マーキング８５に隣接して配置され、５０ｍｌ刻みの増分で配置される。容積マーキング８５と同様に、導電性要素１０の位置は、示された増分に限定されず、必要に応じて、一定の容積レベルで配置することができる。例えば、単一の導電性要素を、最大の充填レベルとして配置することもできる。
【００１６】
導電性要素１０は、壁４０および壁５０が封止されたとき、導電性要素の一部が、容積９０に露出され、導電性要素の一部が露出されないように、継ぎ目６０に沿って配置される。例えば、図１Ｂは、液収集バッグ１の断面図を示す。図１Ｂで分かるように、導電性要素１０の一部は、液６５と接触状態にある。
【００１７】
図１Ａで示すように、導電性要素は円として示され、一部が第１の部分４５Ａにあり、一部が第２の部分４５Ｂ内にある。円として導電性要素を示すことは、説明のためだけのものであり、導電性ワイヤ２５の間を区別するためであることに留意されたい。
【００１８】
液収集バッグ１は、RFIDタグ３０をさらに含む。RFIDタグ３０は、後で詳細に説明するものとする。RFIDタグ３０は、前方壁４０と後方壁５０との間に配置される。さらに、RFIDタグ３０は、RFIDタグ３０が液に露出されないように、壁の第２の部分４５Ｂ内に配置される。したがって、RFIDタグ３０は、熱封止された前方壁４０と後方壁５０との間に配置される。
【００１９】
導電性要素１０は、導電性ワイヤ２５を介してRFIDタグ３０に接続される。導電性要素１０は、導電性ワイヤとは別の要素、または一体の要素とすることができる。例えば、導電性要素として、導電性塗料またはインクが使用される場合、同じ導電性インクを、導電性ワイヤ２５として使用することができる。
【００２０】
液収集バッグ１は、共通の導電性要素２０をさらに含む。導電性要素１０と同様に、共通の導電性要素２０は、共通の導電性要素２０の一部が、ポケットまたは主本体９０内に、かつ第１の部分４５Ａ内あり、また共通の導電性要素２０の一部が、液に露出されず、第２の部分４５Ｂ内に位置するように継ぎ目６０に沿って配置される。共通の導電性要素２０は、ポケットまたは主本体９０の底部に配置される。
【００２１】
したがって、共通の導電性要素２０の一部と、導電性要素１０の一部は共に、熱封止された前方壁４０と後方壁５０との間に配置される。
【００２２】
共通の導電性要素２０は、導電性ワイヤ２５の１つを介してRFIDタグ３０に接続される。共通の導電性要素２０は、導電性ワイヤとは別の要素、または一体にすることができる。例えば、導電性塗料またはインクが共通の導電性要素２０として使用される場合、同じ導電性インクを、その導電性ワイヤ２５に使用することができる。したがって、各導電性ワイヤ２５は、熱封止された前方壁４０と後方壁５０との間に配置される。
【００２３】
図２は、液収集バッグ１の等角図を示す。図示のように、導電性要素１０、共通の導電性要素２０、および導電性ワイヤ２５が、後方壁５０の内側に印刷される。代替的に、導電性要素１０、共通の導電性要素２０、および導電性ワイヤ２５は、前方壁４０の内側に印刷され得る。
【００２４】
導電性ワイヤ２５は、ワイヤ２５が液６５に露出されないように、完全に第２の部分４５Ｂ内に位置する。同様に、図２で示されるように、RFIDタグ３０もまた、第２の部分４５Ｂ内に完全に配置される。組み立てられると、導電性要素１０、共通の導電性要素２０、および導電性ワイヤ２５、ならびにRFIDタグ３０は、前方壁４０と後方壁５０との間に封止される（組み立てられた図で示される）。
【００２５】
液収集バッグ１はまた、液ポート７５、８０を有しており、１つは、ポケットまたは主本体９０の上部に、１つは、ポケットまたは主本体９０の底部にある。繰り返しになるが、「上部」および「底部」を使用することは、説明のためだけのものであり、必ずしも使用方向を反映していない。
【００２６】
液ポート７５、８０は、液収集バッグ１を充填する、または液収集バッグ１を排出するために使用される。液ポート７５、８０は、液供給ラインと接続可能であるように適合される。ポート７５、８０は、前方壁４０と後方壁５０との間で封止され、ポケットまたは主本体９０と流体連通状態にある開口部を有する。
【００２７】
液収集バッグ１は、バッグを、バーまたはポールに掛けることができるようにする開口部７０を有する。
【００２８】
図３Ａは、本開示の態様による別の液容器を示す。図３Ａで示された液容器は剛性を有することができ、柔軟なものではない。図３Ａで示された液容器はまた、本明細書でビュレット１Ａと呼ぶこともできる。ビュレット１Ａは、壁３００およびキャップ３１０を有する。壁３００は、円筒形の形状をしており、底部でテーパが付けられている。壁３００は、液に対する容積または空間３０５を画定する。キャップ３１０は、壁３００の上部を覆っている。キャップ３１０は、液供給ライン３１５に係合するように適合された開口部を有する。ビュレット１Ａは、ビュレット１Ａから排出される液の流れを制御するように構成された滴下弁３２０をさらに有する。
【００２９】
ビュレット１Ａの壁３００は、容積マーキング８５を含む。図示のように、容積マーキング８５は、５ｍｌから開始して７０ｍｌで終わり、５ｍｌ刻みの増分で一覧表示されている。しかし、図で示された容積マーキング８５は、説明用の例であり、マーキングは、それに限定されない。ビュレット１Ａが保持できる液の特定の量、および容積マーキングは、必要に応じて変化することができる。
【００３０】
導電性要素１０Ａが垂直に整列している。各導電性要素は導電性ピンとすることができる。導電性要素１０Ａは、所定の容積レベルに配置される。図３Ａで示されるように、導電性要素１０Ａは、容積マーキング８５に隣接して配置され、５ｍｌ刻みの増分で配置される。容積マーキング８５と同様に、導電性要素１０Ａの位置は、示された増分に限定されず、必要に応じて、一定の容積レベルとして配置され得る。例えば、単一の導電性要素が、最大の充填レベルとして配置され得る。
【００３１】
各導電性ピンは、容積または空間３０５内に配置される部分を有する（ピンヘッド３１１と呼ばれる）。各導電性ピンは、壁３００を貫通し、その本体３１２が壁３００に組み込まれるようにする。導電性ピンの一部は、図３Ｂ（図は線Ｂ-Ｂに沿った断面図である）で示されるように、壁３００に対して外部にある（先端３１３と呼ばれる）。ピンヘッド３１１は、壁の内側面に取り付けられ、液が、壁の中のピン孔を通って流出できないように封止を生成する。例えば、ピンヘッド３１１は、エポキシを用いて内側壁に接着することができる。
【００３２】
ピンヘッド３１１は、容積または空間３０５内にあるので、液が空間内にあるとき、液は、ピンヘッド３１１に接触することができる。
【００３３】
ビュレット１Ａは、RFIDタグ３０をさらに含む。RFIGタグ３０は、後で詳細に述べるものとする。RFIDタグ３０は、壁３００の外側面上に配置される。
【００３４】
図３Ａにおいて示されるように、RFIDタグ３０は、ビュレット１Ａの底部付近に位置する。しかし、RFIDタグ３０の場所は、示された位置に限定されない。
【００３５】
例えば、ピンなどの導電性要素１０Ａは、導電性ワイヤ２５Ａを介してRFIDタグ３０に接続される。各ピンは、別個の導電性ワイヤに電気的に結合される。導電性ワイヤ２５Ａの断面図が、図３Ｂで示される。導電性ワイヤ２５Ａは、外側に絶縁材料を有する。絶縁材料は、ワイヤが、導電性ピンの先端３１３に接続される位置において除去される。導電性要素１０Ａは、異なる垂直位置に位置するので、各導電性ワイヤの長さは異なる。図３Ａは、垂直に整列した導電性要素１０Ａを示す。しかし、導電性要素１０Ａは、垂直に整列させる必要はなく、オフセットさせることもできる。
【００３６】
ビュレット１Ａは、共通の導電性要素２０Ａをさらに含む。導電性要素１０Ａと同様に、共通の導電性要素２０は、導電性ピンとすることができ、ピンヘッド３１１が、ポケットまたは主本体３０５内に配置され、かつ壁３００の内側面に取り付けられる。ピンの本体３１２は、壁の内部に埋め込まれ、ピンの先端３１３は、壁に対して外部にある。
【００３７】
共通の導電性要素２０Ａは、導電性ワイヤ２５Ａのうちの１つを介してRFIDタグ３０に接続される。
【００３８】
カバー３２５は、導電性要素１０Ａおよび導電性ワイヤ２５Ａを覆って保護する。カバー３２５は、ビュレット１Ａと同じ材料から製作することができる。代替的に、カバー３２５は、テープなどの可撓性のある材料とすることができる。
【００３９】
ビュレット１Ａはまた、共通の導電性要素２０Ａ、ならびに共通の導電性要素２０ＡおよびRFIDタグを接続する導電性ワイヤを覆う別個のカバーを有することができる。
【００４０】
図４は、本開示の態様によるRFIDタグ３０の概略図である。RFIDタグ３０は、液収集バッグ１とビュレット１Ａの両方に使用することができる。このRFIDタグ３０は、液収集デバイスが１つの導電性要素２５／２５Ａを含むとき、または１つの液レベルがモニタされるときに使用することができる。
【００４１】
本開示の態様において、RFIDタグ３０は受動タグである。したがって、RFIDタグ３０は、それに電力を供給するための別個の電池を含まず、構成要素に電力を供給するために、受信したRF信号からのエネルギーを使用する。代替的には、RFIDタグ３０は、オンボード電池を備えた能動的なタグとすることもできる。
【００４２】
RFIDタグ３０は、メモリ４００を備えたRFID制御装置を備える。RFID制御装置４００は、RFIDタグ３０を制御し、クロックタイミングを維持するように構成される。メモリは、RFID制御装置４００に対する命令、ならびに所与の期間に検出された液レベルを記憶することができる。RFIDタグ３０は、患者モニタにおけるRFリーダに信号を送信するための送信機をさらに備える。
【００４３】
RFIDタグ３０は、AC／DC電圧変換器を備えた受信機４１０をさらに備える。上記で述べたように、RFIDタグ３０は、受動タグであり、また電力は、AC／DC電圧変換器を介して受信されたRF信号から生成される。AC／DC電圧変換器は、RFID制御装置４００と電気的に結合され、またさらに導電性要素１０／１０Ａ、および共通の導電性要素２５／２５Ａに電気的に結合される。したがって、AC／DC電圧変換器は、所定の電圧（または電流）を、導電性要素１０／１０Ａおよび共通の導電性要素２５／２５Ａに供給することができる。加えて、AC／DC電圧変換器は、比較のための基準値（例えば、電圧基準４１４）を供給することができる。
【００４４】
RFIDタグ３０は、導電性要素１０／１０Ａからの値と基準を比較するための比較器４２５をさらに備える。電圧源４１２（または電流）、および電圧基準（または電流）は、AC／DC変換器、および導電性要素１０／１０Ａ、および共通の導電性要素２５／２５Ａ、およびさらに比較器４２５の間にそれぞれ接続される抵抗器を用いて、所定の値に設定することができる。比較器４２５の一方の端子は、導電性要素１０／１０Ａに結合され、他方のものは、基準に結合される。比較器４２５は、液に接触した結果として、導電性要素１０／１０Ａにおけるインピーダンスの変化を有効に判定する。
【００４５】
RFIDタグ３０は、A／D変換器４２０をさらに備える。A／D変換器４２０は、RFID制御装置４００、および比較器４２５の出力に接続される。出力の結果に基づき、A／D変換器は、例えば、警報など、送信機４０５によって送信するための信号を生成する。
【００４６】
RFIDタグ３０は、送信機４０５をさらに備える。コイルなどの送信機４０５が、A／D変換器４２０に結合される。RFIDタグ３０がRFリーダからの信号を受信したのに応じて、送信機４０５は、応答を送信するように構成される。比較結果に応じて、送信機４０５は、応答として警報を送信するように構成される。
【００４７】
図５は、本開示の別の態様によるRFIDタグ３０Ａの概略図を示す。RFIDタグ３０Ａは、複数の導電性要素１０／１０Ａ１-Nを有する液容器に使用される。RFIDタグ３０とRFIDタグ３０Ａとの間の差は、RFIDタグが、複数の比較器４２５およびスイッチ５００を備えることである。RFID制御装置４００Ａは、スイッチ５００を順次制御して、各比較器の出力をRFID制御装置４００Ａに、次いでA／D変換器４２０へと選択的に結合する（開くまたは閉じる）ことができる。
【００４８】
導電性要素１０／１０Ａは、それぞれ、比較器４２５の端子の１つに結合される。図４では、説明のためだけであるが、導電性要素は、１０１〜１０Nにラベル付けされる。しかし、導電性要素はまた、１０Ａ１〜１０ＡNとすることもできる。例えば、導電性要素１０１（１０Ａ１）は、比較器４２５１の端子の１つに結合され、また導電性要素１０N（１０ＡN）は、比較器４２５Nの端子の１つに結合される。
【００４９】
各スイッチ５００は、RFID制御装置４００Ａによって個々に制御されて、比較器４２５の各出力を順次RFID制御装置４００Ａに結合する。
【００５０】
本開示の態様においては、比較器４２５のそれぞれに対する基準値は、同じとすることができる。代替的に、本開示の別の態様では、各比較器４２５に対する基準値は、異なることができる。比較器に対する基準値は、抵抗器に対して特定の抵抗値を用いて設定される。したがって、異なる基準値が存在する場合、異なる抵抗器、または異なる数の抵抗器を、各比較器４２５の端子に結合することができる。
【００５１】
各比較器４２５は、液に接触した結果として、導電性要素１０１-N（１０Ａ１-N）におけるインピーダンスの変化を有効に判定する。
【００５２】
図６は、上記で述べられた設計を有する１つまたは複数の液容器における液容積を検出するためのシステム６００を示す。
【００５３】
本開示の態様によれば、RFリーダが、患者モニタ６０５内に共に配置される。例えば、無線アダプタを、患者モニタの中に据え付けることができる。RFリーダは、液容器内のRFIDタグ３０／３０Ａを周期的にポーリングするように構成される。本開示の態様では、RFリーダの無線距離内に複数のRFIDタグ３０／３０Ａが存在する場合、RFリーダは、所与の時間に１つのRFIDタグ３０／３０Ａだけが応じるように、各タグを順次ポーリングすることができる。代替的に、本開示の態様では、RFリーダは、無線距離内の各液容器に対して、異なる周波数を送信するように構成される。図６で示されるように、システム６００は、２つの液容器を、すなわち、液収集バッグ１とビュレット１Ａとを含む。
【００５４】
ビュレット１Ａは、液ライン６１０を介して液収集バッグ１に接続される。液ライン６１０は、液収集バッグ１のポート７５に接続される。液供給ライン３１５は、ビュレット１Ａのキャップ３１０に接続される。例えば、液供給ライン３１５は、頭蓋内カテーテルなど、カテーテルとすることができる。
【００５５】
例えば、患者モニタ６０５におけるRFリーダは、液収集バッグ１におけるRFIDタグ３０／３０Ａを最初にポーリングすることができる。上記のように、RFIDタグ３０／３０Ａは、受動タグである。以下の説明は、RFリーダからのポーリング信号に応じて、RFIDタグ３０の（１つの導電性要素または１つのモニタされるレベルがある場合の）動作に関するものである。
【００５６】
RFIDタグ３０は、受信機４１０において、RFリーダからのポーリング信号を受信する。AC／DC電圧変換器は、RF信号におけるエネルギーからRFIDタグ３０に対する電力を生成する。具体的には、AC／DC電圧変換器は、DC電圧を電圧源４１２に供給する。本開示の態様では、電圧源４１２は、次いで、所定のDC電圧（または所定のDC電流）を共通の導電性要素２５および導電性要素１０に供給する。
【００５７】
得られた電圧または電流は、比較器４２５の端子の１つにおいて見られる。さらにAC／DC電圧変換器は、電圧基準４１４にDC電圧を供給する。電圧基準は、導電性要素１０が液と接触していない場合の値に等しい値に設定される。電圧基準（電流基準）から得られた電圧または電流は、比較器４２５の端子の他方において見られる。比較器４２５は、電圧（または電流）の値を比較する。電圧（または電流）が同じである場合、それは、導電性要素１０が液と接触していないことを示す。他方で、電圧（または電流）が、より大きいなど、異なっている場合、それは、導電性要素１０が液と接触しており、したがって、液レベルは、導電性要素１０に関連付けられた容積レベルである、またはそれを超えることを示している。本開示の態様では、RFID制御装置４００は、比較器４２５の出力を受け取る。出力が、電圧（または電流）が異なっていることを示す場合、RFID制御装置４００は、A／D変換器４２０に、比較器の出力を送信用の信号へと変換させ、送信機４０５に、患者モニタ６０５に対して警報を送信させる。警報は、RFIDタグ３０の識別子を含むことができる。本開示の別の態様では、比較器の出力を送信用の信号（デジタル信号など）へと変換するのではなく、警報用の事前設定された信号を使用する（変換し、および送信する）ことができる。
【００５８】
本開示の別の態様では、電圧（または電流）が基準値とは異なっていると判定される最初の段階で警報を送信するのではなく、電圧（または電流）が異なる場合、少なくとも一定数のポーリング期間が生じたときに警報を送信することができる。例えば、RFID制御装置のメモリは、少なくとも１つの前の比較結果、および送信閾値を記憶することができる。送信閾値が、２つのポーリング期間である場合、RFID制御装置４００は、電圧（または電流）が、２つの連続するポーリング期間に対して異なっていると判定された場合に、警報を生成させることができる。したがって、RFID制御装置４００は、メモリから前の判定を取得して、送信閾値を調べ、現在の判定と前の判定を比較することができる。
【００５９】
本開示の別の態様では、電圧（または電流）が基準値とは異なっていると判定された最初の段階で警報を送信するのではなく、警報は、別個の基準値を使用せずに、例えば、差分など、連続するポーリング期間からの値（電圧または電流）の間の差を調べることに基づいて送信することができる。値（電圧または電流）の変化は、液レベルが導電性要素に達していることを示している（但し、前の期間には達していない）。例えば、前のポーリング期間からの値が、比較器の一方の端子に供給され、現在のポーリング期間からの値が、他方の端子に供給される。
【００６０】
本開示の別の態様では、RFID制御装置４００が、比較器４２５の出力に基づいて警報を送信すべきかどうかを判定するのではなく、ポーリングの各段階に対して、A／D変換器４２０が、比較器４２５の出力を変換し、また生データが、外部評価のために、送信機４０５により送信される。
【００６１】
本開示の他の態様では、上記で述べた方法の１つまたは複数のものは、液レベルまたは容積の初期判定を確認するために組み合わされる。
【００６２】
患者モニタ６０５がRFIDタグ３０から（RFリーダを介して）警報を受け取った場合、患者モニタ６０５は、警報をナースステーション６１０に送る。ナースステーション６１０は、ディスプレイを含むことができ、また警報は、ディスプレイ上に表示され得る。加えて、および／または代替的に、ナースステーション６１０は、スピーカを含むことができ、可聴の警報を生成することができる。警報に応じて、看護師は、必要な場合には、液収集バッグ１を変えることができる。さらに看護師は、液レベルを患者のファイルに記録することができる。
【００６３】
患者モニタ６０５はまた、RFIDタグ３０を有するビュレット１Ａをポーリングすることになる。ビュレットにおけるRFIDタグ３０は、上記で述べたものと同じ方法で応じるので、再度、詳細には述べないものとする。
【００６４】
以下の説明は、RFリーダからのポーリング信号に応じたRFIDタグ３０Ａの動作に関するものである。
【００６５】
RFIDタグ３０Ａは、受信機４１０において、RFリーダからのポーリング信号を受信する。AC／DC電圧変換器は、RF信号におけるエネルギーからRFIDタグ３０Ａに対する電力を生成する。具体的には、ＡC／DC電圧変換器は、DC電圧を電圧源４１２に供給する。本開示の態様では、電圧源４１２は、次いで、所定のDC電圧（または所定のDC電流）を共通の導電性要素２５Ａおよび導電性要素１０Ａに供給する。
【００６６】
得られた電圧または電流は、それぞれ、各比較器４２５１-Nの端子の一方で見られる。加えて、AC／DC電圧変換器は、DCを電圧基準４１４に供給する。電圧基準は、各導電性要素が、液と接触していない場合の値に等しい値に設定される。電圧基準（電流基準）から得られた電圧または電流は、各比較器４２５１-Nの端子の他方で見られる。
【００６７】
各比較器４２５は、特定の容積レベルに関連付けられる。例えば、比較器４２５１はレベル５０ｍｌ（図１Ａで示されるように）に関連付けることができ、比較器４２５２はレベル１００ｍｌに関連付けることができ、・・・、比較器４２５Nは７００ｍｌに関連付けることができる。
【００６８】
各比較器４２５は、例えば、各導電性要素および各基準値からの電圧（または電流）値を比較する。電圧（または電流）が、同じである場合、それは、関連付けられた導電性要素１０Ａが、液６５と接触していないことを示す。他方で、電圧（または電流）が、より大きくなるなど、異なる場合、それは、導電性要素１０Ａが、液６５と接触しており、したがって、液レベルは、導電性要素１０Ａに関連付けられた容積レベル以上であることを示している。
【００６９】
RFID制御装置４００Ａは、スイッチ５００を順次制御して閉じ（または開き）、比較器の出力を選択的に、RFID制御装置４００ＡおよびA／D変換器に結合する。
【００７０】
本開示の別の態様では、RFIDタグ３０Ａは、電圧または電流を、導電性要素のそれぞれ、および／または基準に順次、選択的に結合するように構成された第２の組のスイッチ５１０Nを含む。図５で示されるように、スイッチ５１０は、比較器の基準端子に接続されるが、本開示の別の態様では、スイッチは、他方の端子、または両方の端子に接続することができる。RFID制御装置４００Ａは、同時に、同じ導電性要素と比較器に対するスイッチの組（５００および５１０）を閉じて、同じ導電性要素と比較器に対応するスイッチがまた、同時に閉じる／開くように順次切り換える。スイッチ５００、５１０の動作と適合して、RFID制御装置４００Ａは、各比較器４２５の出力を順次、選択的に受け取る。出力が、電圧（または電流）がその各基準と異なることを示す場合、RFID制御装置４００Ａは、どの比較器が信号を出力したかを判定する。本開示の態様では、RFID制御装置４００Ａにおけるメモリは、警報の送信に対して設定された容積を含む。この設定された容積は、所与の比較器に関連付けられる。例えば、設定された容積は、比較器４２５１０に関連付けられた５００ｍｌとすることができる。RFID制御装置４００Ａは、比較器４２５１０（またはそれを超える容積に関連付けられた比較器）が差を示した場合、A／D変換器４２０に、比較器の出力をデジタル信号へと変換させ、送信機４０５に、患者モニタ６０５に警報を送信させる。警報は、RFIDタグの識別子を含むことができる。本開示の別の態様では、比較器の出力を送信用の信号（デジタル信号など）に変換するのではなく、警報用に事前設定された信号を使用する（変換および送信する）ことができる。
【００７１】
代替的に、第２の組のスイッチ５１０Nは削除することができ、電圧／電流は同時に、導電性要素４２５加えることができる。
【００７２】
本開示の別の態様では、メモリは、第２の警報を送信するための第２の設定容積を記憶することができる。この第２の設定容積は、別の所与の比較器に関連付けられる。例えば、第２の設定容積は、比較器４２５１２に関連付けられた６００ｍｌとすることができる。RFID制御装置４００Ａは、比較器４２５１２（またはそれを超える容積に関連付けられた比較器）が差を示した場合、A／D変換器４２０に、比較器の出力をデジタル信号に変換させ、送信機４０５に、警報を患者モニタ６０５に送信させることになる。開示の別の態様では、比較器の出力を送信用の信号（デジタル信号など）に変換するのではなく、警報に対して第２の事前設定された信号を使用する（変換および送信する）ことができる、但し、第２の事前設定された信号は第１の信号とは異なる。
【００７３】
本開示の別の態様では、RFID制御装置４００Ａは、差を示す比較器をメモリに記憶することができる。患者モニタ６０５から、RFIDタグ３０Ａからの任意のその後に続くポーリングは、差を示す最も低い容積レベルから連続するスイッチングを開始することができる。こうすることは、RFID制御装置４００Ａに対する処理負荷を低減することになる。
【００７４】
本開示の別の態様では、電圧（または電流）が各基準値とは異なっていると判定された最初の段階で、警報を送信するのではなく、警報は、電圧（または電流）が異なっている少なくとも一定数のポーリング期間が生じた場合に送信することができる。例えば、RFID制御装置４００Ａのメモリは、比較の少なくとも１つの前の結果、および送信閾値を記憶することができる。送信閾値が２つのポーリング期間である場合、RFID制御装置４００Ａは、各比較器からの電圧（または電流）が２つの連続するポーリング期間に対して異なっていると判定された場合、警報を生成させることができる。したがって、RFID制御装置４００Ａは、メモリから前の判定、および送信閾値を取得し、前の判定を現在の判定と比較することができる。
【００７５】
本開示の別の態様では、電圧（または電流）が各基準値とは異なっていると判定された最初の段階で警報を送信するのではなく、警報は、別個の基準値を使用せずに、例えば、差分など、連続するポーリング期間からの値（電圧または電流）の間の差を調べることに基づいて送信することができる。値（電圧または電流）の変化は、液レベルが各導電性要素に達していることを示している（但し、前の期間には達していない）。
【００７６】
本開示の別の態様では、RFID制御装置４００Ａが、比較器４２５１-Nの各出力に基づいて警報を送信すべきかどうかを判定するのではなく、ポーリングの各段階に対して、A／D変換器４２０が、複数の比較器４２５１-Nのそれぞれの出力を変換し、また生データが、外部評価のために、送信機４０５により送信される。
【００７７】
患者モニタ６０５がRFIDタグ３０Ａから警報を（RFリーダを介して）受け取った場合、患者モニタ６０５は、警報をナースステーション６１０に送る。ナースステーション６１０は、ディスプレイを含むことができ、また警報は、ディスプレイ上に表示され得る。加えて、および／または代替的に、ナースステーション６１０は、スピーカを含むことができ、可聴の警報を生成することができる。警報に応じて、看護師は、必要な場合に液収集バッグ１を変えることができる。さらに看護師は、液レベルを患者のファイルに記録することができる。
【００７８】
患者モニタ６０５はまた、RFIDタグ３０Ａを有するビュレット１Ａをポーリングすることになる。ビュレット１ＡにおけるRFIDタグ３０Ａは、上記で述べたものと同じ方法で応じるので、再度、詳細には述べないものとする。
【００７９】
メモリは、例えば、限定することなく、一時的に、および／または恒久的に、データ、プログラム、命令、プログラムコード、および／または他の適切な情報などの情報を記憶できるハードウェアの任意の部分である。
【００８０】
本開示で使用され得る場合、「RFID制御装置」という用語は、制御回路を含むハードウェア、ハードウェアおよびソフトウェア、ならびに記憶デバイスの様々な組合せを含むことができる。「RFID制御装置」は、協動作業で実施するようにリンクされた複数の個々の回路構成要素を含むことができるが、あるいは１つまたは複数のスタンドアロンの構成要素を含むことができる。
【００８１】
本明細書で使用される専門用語は、特定の実施形態を記述するためだけのものであり、本開示の範囲を限定するようには意図されておらず、また網羅的であるように意図されていない。当業者には、本開示の範囲および趣旨から逸脱することのない多くの修正形態および変形形態が明らかであろう。
【符号の説明】
【００８２】
１  液収集バッグ
１Ａ  ビュレット
１０  導電性要素
１０１-N  導電性要素
１０Ａ  導電性要素
１０Ａ１-N  導電性要素
２０  共通の導電性要素
２０Ａ  共通の導電性要素
２５  導電性ワイヤ
２５Ａ  導電性ワイヤ
３０  RFIDタグ
３０Ａ  RFIDタグ
４０  前方壁
４５Ａ  第１の部分
４５Ｂ  第２の部分
５０  後方壁
６０  継ぎ目
６５  液
７０  開口部
７５  液ポート
８０  液ポート
８５  容積マーキング
９０  ポケットまたは主本体
３００  壁
３０５  容積または空間
３１０  キャップ
３１１  ピンヘッド
３１２  本体
３１３  先端
３１５  液供給ライン
３２５  カバー
３２０  滴下弁
４００  RFID制御装置
４００Ａ  RFID制御装置
４０５  送信機
４１０  受信機
４１２  電圧源
４１４  電圧基準
４２０  A／D変換器
４２５  比較器
４２５１-N  比較器
５００  スイッチ
５１０N  第２の組のスイッチ
６００  システム
６０５  患者モニタ
６１０  液ライン、ナースステーション
【図１】
2020515845.tif 000003
【図２】
2020515845.tif 000004
【図３Ａ−３Ｂ】
2020515845.tif 000005
【図４】
2020515845.tif 000006
【図５】
2020515845.tif 000007
【図６】
2020515845.tif 000008
【国際調査報告】
2020515845.tif 000009
2020515845.tif 000010
2020515845.tif 000011
2020515845.tif 000012
2020515845.tif 000013